(57)【特許請求の範囲】
【請求項１】
筐体の内部にモータ等の駆動音源を有する機器において、機器の据付け面と前記筐体の下端との間に隙間を有し、該隙間が音源からの音波の通路となすものにあって、この通路中に突設された共鳴容器を備え、該共鳴容器は前記据付け面と対向する下面側のみ開放した箱状の構成としたことを特徴とする水洗い機器。
【請求項２】
筐体の内部にモータ等の駆動音源を有する機器において、機器の据付け面と前記筐体との間に隙間を有し、該隙間が音源からの音波の通路となすものにあって、この通路中に突設された共鳴容器を備え、該共鳴容器は前記据付け面と対向する下面側のみに複数の小孔を配設して閉鎖された箱状の構成としたことを特徴とする水洗い機器。
【請求項３】
共鳴容器は、機器の前方に通じる音波の通路中に配置したことを特徴とする請求項１または２記載の水洗い機器。
【請求項４】
共鳴容器は、音波の通路の略全周域に亘り配置したことを特徴とする請求項１乃至３の何れかに記載の水洗い機器。
【請求項５】
共鳴容器は、モータ等の駆動音源の近傍に配置したことを特徴とする請求項１または２記載の水洗い機器。
【請求項６】
共鳴容器内に、吸音材を具備したことを特徴とする請求項１乃至５の何れかに記載の水洗い機器。
【請求項７】
吸音材は、共鳴容器内方に空洞を存する配置構成としたことを特徴とする請求項６記載の水洗い機器。
【請求項８】
機器は筐体の下端に設けた防振脚を介して据付け面に設置され、この据付け面と共鳴容器との隙間寸法は、機器の重量的負荷が最大時に防振脚による沈み込み量と同等、若しくはそれ以上に設定したことを特徴とする請求項１乃至７の何れかに記載の水洗い機器。
【請求項９】
共鳴容器は、その箱状の少なくとも一面を熱溶着により接合した構成であることを特徴とする請求項１乃至８の何れかに記載の水洗い機器。
【発明の詳細な説明】
【０００１】
【発明の属する技術分野】
本発明は、洗濯機や食器洗い機等が有するモータ等の駆動音源から発する騒音に対処した水洗い機器に関する。
【０００２】
【従来の技術】
従来、例えば図１９に示す洗濯機１においては、筐体２内部に水受槽としての外槽３及び洗濯槽兼脱水槽の内槽４を弾性吊持機構５により弾性支持し、外槽３の外底部にはモータ６とか減速機構等の駆動機構部を備え、また内槽４の内底部には撹拌翼７を設けている。そして筐体２は、矩形の外箱８と、その上面に被せたトップカバー９と、下面に被着され四方を囲むように形成された樹脂製の台板１０とから構成され、この台板１０の四隅部にはゴム製の防振脚１１を設け、所謂筐体２の振動を吸収すると共に据付け面１２側への振動伝達を軽減している。そして、台板１０は据付け面１２との間の隙間ｈを極力小さくして、モータ６等駆動機構部から発する騒音をできるだけ外部に漏れないようにしている。
【０００３】
【発明が解決しようとする課題】
しかしながら上記構成において、洗い運転時には内槽４内に供給された洗濯水が大きな重量負荷となること、及び脱水運転時には被洗濯物のアンバランス配置に伴い大きな上下振動を発生すること、等により防振脚１１の機能は十分発揮するものの筐体２が沈み込むこととなり、台板１０の四方の側壁下端と据付け面１２との隙間ｈは上記の如き筐体２の沈み込みや上下振動を考慮し尚且つ衝突しない安全性を配慮した寸法設定となるため、それほど小さくできないのが実情である。
従って、モータ６等駆動機構部から発した駆動音は、台板１０による遮音効果はそれほど期待できず、筐体２下部の隙間ｈから騒音となって外部に漏れてしまう問題があった。
【０００４】
本発明は上述の事情に鑑みてなされ、従ってその目的は、筐体と据付け面との隙間から漏れる騒音を軽減してなる水洗い機器を提供するにある。
【０００５】
【課題を解決するための手段】
上記目的を達成するために、本発明の水洗い機器は、第１に、筐体の内部にモータ等の駆動音源を有する機器において、機器の据付け面と前記筐体の下端との間に隙間を有し、該隙間が音源からの音波の通路となすものにあって、この通路中に突設された共鳴容器を備え、該共鳴容器は前記据付け面と対向する下面側のみ開放した箱状の構成としたことを特徴とする（請求項１の発明）。
【０００６】
また、上記目的を達成するために、本発明の水洗い機器は、第２に、筐体の内部にモータ等の駆動音源を有する機器において、機器の据付け面と前記筐体との間に隙間を有し、該隙間が音源からの音波の通路となすものにあって、この通路中に突設された共鳴容器を備え、該共鳴容器は前記据付け面と対向する下面側のみに複数の小孔を配設して閉鎖された箱状の構成としたことを特徴とする（請求項２の発明）。
【０００７】
また、上記目的を達成するために、本発明の水洗い機器は、第２に、筐体の内部にモータ等の駆動音源を有する機器において、機器の据付け面と前記筐体との間に隙間を有し、該隙間が音源からの音波の通路となすものにあって、この通路中に音波の通路に面する一面のみに複数の小孔を配設して閉鎖された箱状の共鳴容器を備えたことを特徴とする（請求項２の発明）。
【０００８】
斯かる構成によれば、小孔の径寸法による設定が比較的容易で設計的自由度が大きく、所望の周波数域を対象とした騒音の減少を計るに有効である。
【０００９】
そして、請求項１または２記載の水洗い機器において、共鳴容器は、機器の前方に通じる音波の通路中に配置したことを特徴とする（請求項３の発明）。
【００１０】
斯かる構成によれば、簡易な構成にて最も気になる機器の前方への騒音に対する減音効果が期待できる点で有効である。
【００１１】
更に、請求項１乃至３の何れかに記載の水洗い機器において、共鳴容器は、音波の通路の略全周域に亘り配置したことを特徴とする（請求項４の発明）。
【００１２】
斯かる構成によれば、機外の全ての方向に漏れる騒音に対して有効に軽減できて、機器の据付け位置とか方向に制約を受けないので設置条件が有利となる。
【００１３】
更にまた、請求項１または２記載の水洗い機器において、共鳴容器は、モータ等の駆動音源の近傍に配置したことを特徴とする（請求項５の発明）。
【００１４】
斯かる構成によれば、音源からの音波が大きく拡散しない段階で効率の良い減音効果が期待できる。
【００１５】
そして、請求項１乃至５の何れかに記載の水洗い機器において、共鳴容器内に、吸音材を具備したことを特徴とする（請求項６の発明）。
【００１６】
斯かる構成によれば、種々の音エネルギーを吸収するのに有効である。
【００１７】
更に、請求項６記載の水洗い機器において、吸音材は、共鳴容器内方に空洞を存する配置構成としたことを特徴とする（請求項７の発明）。
【００１８】
斯かる構成によれば、特に共鳴現象による減音効果と吸音効果を相乗的に得られ、種々の周波数成分を含む騒音に対して効果的に減音できる。
【００１９】
そして、請求項１乃至７の何れかに記載の水洗い機器において、機器は筐体の下端に設けた防振脚を介して据付け面に設置され、この据付け面と共鳴容器との隙間寸法は、機器の重量的負荷が最大時に防振脚による沈み込み量と同等、若しくはそれ以上に設定したことを特徴とする（請求項８の発明）。
【００２０】
斯かる構成によれば、防振脚の機能を失うことなく共鳴現象を主とした減音効果が期待できる。
【００２１】
また、請求項１乃至８の何れかに記載の水洗い機器において、共鳴容器は、その箱状の少なくとも一面を熱溶着により接合した構成であることを特徴とする（請求項９の発明）。
【００２２】
斯かる構成によれば、接合部位は確実に密着する構成にて製作できるので減音効果が減ずるようなおそれはない。
【００２３】
【発明の実施の形態】
（第１の実施の形態）
以下、本発明の水洗い機器を脱水兼用洗濯機に適用して示す第１実施例につき、図１乃至図５を参照して説明する。
まず図２は、洗濯機２１の一部を破断して示す正面図で、筐体２２内部には水受槽としての外槽２３及び洗濯槽と脱水槽を兼ねた内槽２４を弾性吊持機構２５により弾性支持し、その外槽２３の外底部にはモータ台２６ａを介してモータ２６或いは減速機構等の駆動機構部及び排水弁２７等を備え、また内槽２４の上端部にはバランスリング２８を有し内底部には撹拌翼２９を設けている。しかるに筐体２２は、矩形の外箱３０と、その上面に被着され操作部等を有するトップカバー３１とから構成され、この筐体２２の下端面の四隅部には後述する支持板を介してゴム製の防振脚３２を４個設けていて、据付け面３５上に弾性的に設置される。
【００２４】
そして、図１は洗濯機２１の底面図を示し、図１のＡ−Ａ線に沿って切断して示す図３と併せて説明するに、前記した支持板は、洗濯機２１の前方（図１の上方）に位置する二隅部を含む大きさの前部支持板３３及び後方の各隅部に位置する後部支持板３４とからなり、それらの各隅部には前記防振脚３２を取着するために筒状に突設された脚部３３ａ，３４ａを有していて、これら支持板３３，３４は外箱３０にネジ止め等により取着されている。
【００２５】
しかるに、前部支持板３３には、洗濯機２１の据付け面３５に対向する下面側のみ開放する断面コ字状で長尺の空洞箱状をなす共鳴容器３６を下方に突設していて、これは外箱３０下面と据付け面３５との隙間Ｈにおける前方への通路を遮断するように、且つモータ２６等の駆動機構部の近傍に位置して横方向に長い形態としている。そして、この共鳴容器３６の突出下端と据付け面３５との隙間ｈ１  の寸法は、洗濯機２１の重量的負荷が最大時に防振脚３２の弾性変形を伴う筐体２２の沈み込み量と同等、若しくはそれ以上の寸法に設定してある。
【００２６】
上記のように構成された本実施例の洗濯機２１において、洗い運転する場合には内槽２４内に被洗濯物と洗濯水が投入されて後、モータ２６等の駆動機構部が駆動され撹拌翼２９の回転駆動により洗濯水流が生成され、また脱水運転時には洗濯水が排水された後、モータ２６等の駆動機構部が駆動され内槽２４の回転駆動により被洗濯物から遠心脱水される。このような運転時において、モータ２６等駆動機構部の駆動音を音源としてこれが騒音となって、機外に漏れるのであるが、洗濯機２１の場合、その騒音は筐体２２たる外箱３０の下面開口部を経て据付け面３５との隙間Ｈを通路として機外に漏れ、特に使用者にとって洗濯機２１前方への騒音が気になる。
【００２７】
しかるに、本実施例においては隙間Ｈ内に箱状の共鳴容器３６を下方に突出しているので、その下端における小さな隙間ｈ１  を音波の通路として騒音が機外前方に漏れ出ようとするが、斯かる音波の通路中に面する下面を開放した共鳴容器３６を設け且つ音源近傍に設けたことも相俟って、比較的簡易な構成でありながら音波の共鳴現象を利用して筐体２２の前方に対する減音効果を効率良く得られる。
【００２８】
即ち、このような減音機能は、図４（ａ）に示すλ／４型共鳴消音器の原理に基づくもので、
Ｌ＝λ／４・（２ｎ＋１）
ｎ＝０，１，２，３，…
λ（波長）＝１／ｆ（周波数）
のとき、同図中に示す音源からの音波が共鳴容器Ｙの空洞内部で反射し、この反射波と入射波とが同図（ｂ）の波形図に示すように逆位相の正弦波となり、相互に干渉し打ち消し合うことによって外部に出る騒音を減少させることができるもので、この種共鳴容器Ｙによる減音効果は次式で表すことができる。
【００２９】
【数１】
0003557365.tif 000002
【００３０】
従って、本実施例の場合、モータ２６等を音源とする音波は、外箱３０下端の隙間Ｈ内に設けられた共鳴容器３６に至り、隙間ｈ１  の通路に面する開放部分における入射波と空洞内部からの反射波との干渉により打ち消し合って減音され、該隙間ｈ１  から洗濯機２１前方に出る騒音を効果的に減少できる。
因みに、出願人において実機により検討し、前記数式に基づく透過損失（Ｔ．Ｌ．）を算出した一例を図５に示す。これによれば、本実施例の如き共鳴現象を利用の共鳴容器３６を備えた消音器にあっては、特定の周波数域において顕著な減音効果を発揮する傾向が理解できる。
【００３１】
上記の構成に対し、図６乃至図１８は本発明の第２乃至第７実施例を示すもので、夫々第１実施例と同一部分には同一符号を付して説明を省略し、異なる部分のみについて述べる。
【００３２】
（第２の実施の形態）
まず、図６乃至図９は第２実施例を示し、その図６及び図７は第１実施例における図１及び図３相当図で、上記第１実施例では音波の通路に面する下面が開放してなる共鳴容器３６であったのに対し、本実施例では全体を閉鎖してなる空洞箱状の共鳴容器３７としたもので、具体的には、例えば第１実施例と同様に支持板３３と一体に断面コ字状に成形した後、その下面開放部に複数の小孔３７ａを形成した蓋体３７ｂを振動溶着或いは電磁誘導溶着等の熱溶着手段により接合して閉鎖した構成である。
【００３３】
斯かる構成によれば、モータ２６等の駆動機構部を音源とする音波は、共鳴容器３７の下端における小さな隙間ｈ１  を通路として機外前方へ騒音として漏れ出ようとする。しかるに、機外たる洗濯機２１前方に至る音波の通路に面する下面側にのみ小孔３７ａを有する共鳴容器３７を設けたので、該小孔３７ａと共鳴容器３７の空洞とにおける共鳴現象により音のエネルギーを吸収し減音効果が生ずる。
【００３４】
即ち、このような減音機能は、ヘルムホルツ型共鳴消音器の原理に基づくもので、図８に示す所謂電気のフィルター回路と同様に考えることができ、
【００３５】
【数２】
0003557365.tif 000003
従って、抵抗Ｒを通る電流はゼロとなり、ろ波効果（フィルター効果）を出すわけである。
【００３６】
この回路と等価なものとして図９（ａ）のモデルを考えると、
【数３】
0003557365.tif 000004
のとき、図９（ｂ）にも示すように出力はゼロとなり、所謂共鳴周波数ｆ０  のとき最大の減音効果を奏する。
【００３７】
この場合のＴ．Ｌ．（透過損失）は、次式の通り。
【００３８】
【数４】
0003557365.tif 000005
【００３９】
このように本実施例においても、モータ２６等の駆動音源から機外前方に漏れ出る騒音を軽減できる。そして、上記第１実施例における図４（ａ）に示したλ／４型の消音器にあっては、奥行き寸法Ｌによって共鳴周波数ｆ０  が決定するのに対し、本実施例の図９（ａ）に示すヘルムホルツ型の消音器では、共鳴容器Ｙの体積Ｖと小孔Ｚの半径ａによって共鳴周波数ｆ０  が決まる。ところが、奥行き寸法Ｌや体積Ｖは実用に際して設計的制約が大きいのに対し、小孔Ｚの径寸法（半径ａ）は比較的その設定範囲を大きくとれて設計的自由度が大きい。従って、第１実施例に比し本実施例にあっては所望の共鳴周波数ｆ０  における騒音の軽減に好適する。
【００４０】
（第３の実施の形態）
図１０乃至図１２は、本発明の第３実施例を示すもので、これは第１実施例における洗濯機２１の前方に配置した共鳴容器３６に対し、モータ２６等の音源を囲むように共鳴容器３８を全周に亘り設けた構成にある。即ち、支持板３９は外箱３０の四隅部に亘る大きさとし、従って防振脚３２を保持する脚部３９ａも全て一体成形され、そして内方にモータ２６を囲む配置構成にて下面開放する共鳴容器３８を形成したものである。
【００４１】
従って、第１実施例では前方への騒音を重視して対処したが、本実施例によれば洗濯機２１の機外全ての方向に対して騒音を減少できる点で有効で、据付け位置や方向に制約を受けることなく容易に設置できる。因みに本実施例において無負荷による脱水運転にて実験したところの、筐体２２の１メートル前方にて騒音レベルを測定した結果を示す図１２のスペクトル分析図からもその減音効果は明らかである。
【００４２】
（第４の実施の形態）
図１３及び図１４は、第４実施例を示すもので、これは上記第３実施例に対し複数に区画した共鳴容器部４０ａを形成すべく仕切壁４０ｂを設けてなる共鳴容器４０の構成にある。
【００４３】
斯かる構成によれば、仕切壁４０ｂが下面を開放した箱状の共鳴容器４０の強度的補強ができ、支持板３９と一体の樹脂成形後の変形を阻止できると共に、例えば図示しない排水ホースを機外への導出するため、所望する方向の一箇所を切欠いても当該一つの共鳴容器部４０ａが無効となる程度で、他の共鳴容器部４０ａは有効であるから本来の共鳴容器４０としての機能を殆ど失うことなく、所期の減音効果を略維持できる。
【００４４】
（第５の実施の形態）
図１５及び図１６は、第５実施例を示すもので、これは前記第２実施例で述べた同種の閉鎖形の共鳴容器４１をモータ２６等の駆動機構部を囲むように全周に形成したもので、音波の通路側に面する下面に小孔４１ａを複数有する蓋体４１ｂを熱溶着により接合してなる構成にある。
【００４５】
斯かる構成によれば、上記第２実施例と同様の減音作用に加えて洗濯機２１の如何なる機外方向への騒音に対しても減音効果を発揮し得るので、やはり据付け位置や方向に制約を受けることがなく設置が容易となる。
【００４６】
（第６及び第７の実施の形態）
図１７及び図１８は、夫々第６及び第７実施例を示すもので、これらは何れも吸音材４２を内蔵した構成である。
まず、図１７に示す第６実施例では、前記第１実施例における下面開放する共鳴容器３６内に、ウレタン等の連続発泡体の如き吸音材４２を開放口近傍に設けて内方に空洞を存した配置構成にある。
【００４７】
一方、図１８に示す第７実施例では、前記第２実施例における閉鎖した箱状の共鳴容器３７内に、上記同様の吸音材４２を小孔３７ａ近傍に設けて、内方に空洞を存した配置構成にある。
従って、これら各実施例によれば、共鳴現象による減音効果と吸音材４２による吸音効果が相乗的に得られ、特に種々の周波数成分を含む騒音に対して有効である。
【００４８】
尚、発明は上記し且つ図面に示した各実施例に限定されるものではなく、例えば、各実施例における箱状の共鳴容器は、一体成形だけでなく熱溶着により密着度の高い接合手段を利用して箱状に形成しても良いし、また、第１実施例における共鳴容器３６は、洗濯機２１の前方への騒音に対処した配置構成としたが、例えば後方を除く前方，左右の三方向に延びる共鳴容器を設けて騒音の減少範囲を適宜に広げて効果的に減音を図ることはもとより、洗濯機２１に限らず食器洗い機等にも適用できるなど、実用に際して本発明の要旨を逸脱しない範囲内にて適宜変更して実施できるものである。
【００４９】
【発明の効果】
本発明は以上説明した通り、機器筐体の下方におけるモータ等の駆動音を音源とする音波の通路中に、箱状の共鳴容器を設けたことにより、機外に漏れる騒音を軽減でき、運転時における静音化が可能な水洗い機器を提供できる。
【図面の簡単な説明】
【図１】本発明の第１実施例を示す底面図
【図２】一部破断して示す正面図
【図３】図１のＡ−Ａ線に沿って切断して示す拡大断面図
【図４】（ａ）消音器の原理図，（ｂ）波形図
【図５】透過損失算出例の特性図
【図６】本発明の第２実施例を示す図１相当図
【図７】図３相当図
【図８】電気フィルター回路図
【図９】（ａ）消音器の原理図，（ｂ）特性図
【図１０】本発明の第３実施例を示す図１相当図
【図１１】図３相当図
【図１２】騒音レベルのスペクトル分析図
【図１３】本発明の第４実施例を示す図１相当図
【図１４】図３相当図
【図１５】本発明の第５実施例を示す図１相当図
【図１６】図３相当図
【図１７】本発明の第６実施例を示す図３相当図
【図１８】本発明の第７実施例を示す図３相当図
【図１９】従来例を示す図２相当図
【符号の説明】
２１は洗濯機、２２は筐体、２６はモータ、３２は防振脚、３３は前部支持板（支持板）、３４は後部支持板（支持板）、３６，３７，３８，４０，４１は共鳴容器、３７ａ，４１ａは小孔、３７ｂ，４１ｂは蓋体、３９は支持板、及び４２は吸音材を示す。
【図１】
0003557365.tif 000006
【図２】
0003557365.tif 000007
【図３】
0003557365.tif 000008
【図４】
0003557365.tif 000009
【図５】
0003557365.tif 000010
【図６】
0003557365.tif 000011
【図７】
0003557365.tif 000012
【図８】
0003557365.tif 000013
【図９】
0003557365.tif 000014
【図１０】
0003557365.tif 000015
【図１１】
0003557365.tif 000016
【図１２】
0003557365.tif 000017
【図１３】
0003557365.tif 000018
【図１４】
0003557365.tif 000019
【図１５】
0003557365.tif 000020
【図１６】
0003557365.tif 000021
【図１７】
0003557365.tif 000022
【図１８】
0003557365.tif 000023
【図１９】
0003557365.tif 000024